(57)【要約】【課題】伝送路の障害検出時に伝送路を切り替えることなく、同期を取るための回路を必要とせず、どのようなデータでも伝送することができる伝送システムを提供する。【解決手段】第１の伝送装置１により、送信するデータを、順番を示す番号を付加した複数のパケットに分割し、分割したパケットを複製し、複製したパケットを異なる種類の伝送路３を含んだ複数の伝送路３に応じた複数の所定のフレームにそれぞれ組み込んでそれぞれ送信し、第２の伝送装置２により、第１の伝送装置１から複数の所定のフレームをそれぞれ受信し、受信したフレームからパケットをそれぞれ取り出し、この取り出したパケットに付加された順番を示す番号が初見の番号のパケットを、この順番を示す番号に基づいて組み立ててデータを復元する。【選択図】      図１
2014039111.tif 000002
【特許請求の範囲】
【請求項１】
送信するデータを、順番を示す番号を付加した複数のパケットに分割し、分割した前記パケットを複製して異なる種類の伝送路を含んだ複数の伝送路にそれぞれ対応した複数の所定のフレームにそれぞれ組み込んでそれぞれ送信する第１の伝送装置と、
前記複数の伝送路を介して接続された前記第１の伝送装置から複数の前記所定のフレームをそれぞれ受信し、受信した前記フレームから前記パケットをそれぞれ取り出し、この取り出した前記パケットに付加された前記順番を示す番号が初見の番号の前記パケットを、前記順番を示す番号に基づいて組み立てて前記データを復元する第２の伝送装置と、
を備えたことを特徴とする伝送システム。
【請求項２】
前記第１の伝送装置は、前記パケットに誤り検出符号を付加し、
前記第２の伝送装置は、前記第１の伝送装置から受信した前記フレームから前記パケットをそれぞれ取り出し、この取り出した前記パケットに付加された前記誤り検出符号に基づき前記パケットの誤り検出をそれぞれ行い、前記誤り検出で誤りが検出された前記パケットを廃棄する、
ことを特徴とする請求項１記載の伝送システム。
【請求項３】
前記第１の伝送装置は、
送信するデータを複数のパケットに分割し、前記パケットに順番を示す番号を付加しこの番号を付加したパケットを前記伝送路数分複製して出力するパケット生成部と、
前記パケット生成部が出力した複製された前記パケットを、自身のフレーム変換伝送部が送信する前記伝送路に応じた所定のフレームに組み込んで送信する複数のフレーム変換伝送部と、
を備えたことを特徴とする請求項１記載の伝送システム。
【請求項４】
前記第１の伝送装置は、
送信するデータを複数のパケットに分割し、前記パケットに順番を示す番号と誤り検出符号を付加したパケットを前記伝送路数分複製して出力するパケット生成部と、
前記パケット生成部が出力した複製された前記パケットを、自身のフレーム変換伝送部が送信する前記伝送路に応じた所定のフレームに組み込んで送信する複数のフレーム変換伝送部と、
を備えたことを特徴とする請求項２記載の伝送システム。
【請求項５】
前記順番を示す番号は、前記パケットの順番を確認するためのシーケンス番号である、ことを特徴とする請求項１、２、３、又は４記載の伝送システム。
【請求項６】
伝送システム
前記誤り検出符号は、チェックサム、巡回冗長検査（ＣＲＣ：Ｃｙｃｌｉｃ  Ｒｅｄｕｎｄａｎｃｙ  Ｃｈｅｃｋ））符号を含む、ことを特徴とする請求項２又は４  記載の伝送システム。
【請求項７】
順番を示す番号を含む複数のパケットのいずれかを含む複数のフレームを、互いに異なる種類の伝送路を含んだ複数の前記伝送路を介して受信する伝送装置であって、
自身の受信部が接続された前記伝送路を介してこの伝送路に応じた所定のフレームを受信し、受信した前記フレームから前記パケットを取り出して出力する複数の受信部と、
複数の前記受信部がそれぞれ取り出した前記パケットをそれぞれ受け、この受けたパケットに付加された前記順番を示す番号が初見の番号のときにはこのパケットを格納し、初見の番号でないときには前記パケットを廃棄するパケット選択部と、
前記パケット選択部が格納した前記パケットを、前記順番を示す番号に基づいて組み立てて前記データを復元するデータ復元部と、
を備えたことを特徴とする伝送装置。
【請求項８】
順番を示す番号と誤り検出符号とを含む複数のパケットのいずれかを含む複数のフレームを、互いに異なる種類の伝送路を含んだ複数の前記伝送路を介して受信する伝送装置であって、
自身の受信部が接続された前記伝送路を介してこの伝送路に応じた所定のフレームを受信し、受信した前記フレームから前記パケットを取り出す複数の受信部と、
自身のパケットチェック部に接続された前記受信部が取り出した前記パケットに付加された前記誤り検出符号に基づき前記パケットの誤り検出を行い、前記誤り検出で誤りが検出されなかった前記パケットを出力し、前記誤り検出で誤りが検出された前記パケットを廃棄する複数のパケットチェック部と、
複数の前記パケットチェック部がそれぞれ出力した前記パケットをそれぞれ受け、この受けたパケットに付加された前記順番を示す番号が初見の番号のときにはこのパケットを格納し、初見の番号でないときには前記パケットを廃棄するパケット選択部と、
前記パケット選択部が格納した前記パケットを、前記順番を示す番号に基づいて組み立てて前記データを復元するデータ復元部と、
を備えたことを特徴とする伝送装置。
【請求項９】
第１の伝送装置から複数の伝送路を介して第２の伝送装置へデータを伝送する伝送方法であって、
前記第１の伝送装置により、送信するデータを、順番を示す番号を付加した複数のパケットに分割し、分割した前記パケットを複製し、複製した前記パケットを異なる種類の伝送路を含んだ複数の前記伝送路に応じた複数の所定のフレームにそれぞれ組み込んでそれぞれ送信し、
前記第２の伝送装置により、前記第１の伝送装置から複数の前記所定のフレームをそれぞれ受信し、受信した前記フレームから前記パケットをそれぞれ取り出し、この取り出した前記パケットに付加された前記順番を示す番号が初見の番号の前記パケットを、前記順番を示す番号に基づいて組み立てて前記データを復元する、
ことを特徴とする伝送方法。
【請求項１０】
前記第１の伝送装置は、送信する前記データを、前記順番を示す番号と誤り検出符号とを付加した複数のパケットに分割し、
前記第２の伝送装置は、前記第１の伝送装置から受信した前記フレームから前記パケットをそれぞれ取り出し、この取り出した前記パケットに付加された前記誤り検出符号に基づき前記パケットの誤り検出をそれぞれ行い、前記誤り検出で誤りが検出された前記パケットを廃棄する、
ことを特徴とする請求項９記載の伝送方法。
【発明の詳細な説明】
【技術分野】
【０００１】
本発明は、伝送システム、伝送装置及び伝送方法に関し、伝送路に障害が検出された場合にも他の伝送路に切り替える必要のない伝送システム、伝送装置及び伝送方法に関する。
【背景技術】
【０００２】
一般的に、多重化された伝送路を用いてデータを伝送する伝送システムは、多重化された伝送路の一つを主とした伝送路としてデータを伝送し、主とした伝送路に障害が検出された場合には、他の伝送路に切り替えて伝送する。このため、伝送路に障害が検出された場合には他の伝送路に切り替える必要があり、切り替え時間が掛かるという問題がある。
【０００３】
障害の発生による伝送路の切り替えを不要とすることにより、この問題を解決した技術が特許文献１に開示されている。特許文献１に開示のＩＰ（Ｉｎｔｅｒｎｅｔ  Ｐｒｏｔｏｃｏｌ）パケット転送装置は、送信側端末と、受信側端末と、異なる二つのＩＰネットワークとを有する。送信側端末は受信側端末とこの異なる二つのＩＰネットワークを介して接続されている。送信側端末は、送信するＩＰパケットを複製し、この二つのＩＰネットワークに同時に送信する。受信側端末は、送られてきたＩＰパケットをそれぞれ受信し、これらのＩＰパケットを、ＩＰパケットの識別フィールドを参照して識別し、新たに受信したＩＰパケットは登録し、すでに受信しているＩＰパケットは破棄する。このようにして、ＩＰパケットを送信側端末から受信側端末へ送信する。
【０００４】
このように、特許文献１に開示の技術は、二つのＩＰネットワークを使用して送信側端末と受信側端末とを接続する。そして、送信側端末から同時に同じＩＰパケットを送信し、受信側端末では、これらのＩＰパケットをそれぞれ受信し、先着のＩＰパケットを登録する。このため、障害が発生したときに伝送路の切り替えを必要としない。したがって、切り替え時間が掛からない。
【０００５】
また、障害の発生による伝送路の切り替えを不要とすることにより、切り替え時間が掛からないようにした技術が特許文献２にも開示されている。特許文献２に開示のパケット転送装置は、送信側のパケット転送装置と、受信側のパケット転送装置と、パケット伝送網とを有する。送信側のパケット転送装置と受信側のパケット転送装置とはパケット伝送網を介して接続されている。送信側のパケット転送装置は、順次入力されるパケットにおける予め定めた数分又は予め定めた時間分のパケットを順次パケットフレームにする。そして、各パケットフレームに順序識別情報を含む同期パケットを挿入し、各パケットフレームをそれぞれ複製して複数の経路の伝送路に送出する。受信側のパケット転送装置は、複数の経路の伝送路から受信する各パケットフレームに含まれる同期パケットの順序識別情報を用いて複数の経路間での同一パケットフレームを識別し、識別された同一パケットフレーム間の遅延差に基づき複数の経路間での遅延差を判定する。そして、この遅延差を用いて複数の経路のパケットフレームの遅延を調整し（同期を取り）、この調整された（同期を取った）複数の経路のパケットフレームの中から１つの経路のパケットフレームを選択し、下流に送出する。
【０００６】
このように、特許文献２に開示のパケット転送装置は、送信側のパケット転送装置が、複数の同一のパケットフレームを複数の経路を用いて送信する。そして、受信側のパケット転送装置が、同一パケットフレームの経路間での遅延差を判定し、この遅延差を用いて複数の経路のパケットフレームの遅延を調整し、調整された複数の経路のパケットフレームの中から１つの経路のパケットフレームを選択する。
【０００７】
このため、特許文献２に開示のパケット転送装置は、障害が発生したときに経路の切り替えをするようなことをしなくても、他の経路からパケットフレームを受信できる。このため、障害が発生したときに伝送路の切り替えを必要としない。したがって、切り替え時間が掛からない。
【先行技術文献】
【特許文献】
【０００８】
【特許文献１】特開２０１１−３５５１６号公報
【特許文献２】特開２００８−２２７６２３号公報
【発明の概要】
【発明が解決しようとする課題】
【０００９】
上述した特許文献１に開示のＩＰパケット転送装置は、二つのＩＰネットワークを使用して送信側端末と受信側端末とを接続する。そして、送信側端末から同時に同じＩＰパケットを送信し、受信側端末では、これらのＩＰパケットをそれぞれ受信し、先着のＩＰパケットを登録する。このようにして、伝送路に障害が検出された場合にも他の伝送路に切り替える必要がないようにしている。しかし、このＩＰパケット転送装置は、ＩＰパケットの転送に特化しているので、ＩＰパケットしか転送できないという問題がある。また、上述した特許文献２に開示のパケット転送装置は、受信側のパケット転送装置が、同一パケットフレーム間の遅延差に基づき複数の経路間での遅延差を判定する。そして、この遅延差を用いて複数の経路のパケットフレームの遅延を調整し、調整された複数の経路のパケットフレームの中から１つの経路のパケットフレームを選択する。このため、遅延差を判定し遅延を調整する回路（同期を取るための回路）が必要となるといった問題がある。
【００１０】
本発明の目的は、上記課題を解決して、伝送路に障害が検出された場合にも他の伝送路に切り替えることなく、同期を取るための回路を必要とせずにどのようなデータでも伝送することができる伝送システム、伝送装置及び伝送方法を提供することである。
【課題を解決するための手段】
【００１１】
本発明の伝送システムは、異なる種類の伝送路を含んだ複数の伝送路と、送信するデータを、順番を示す番号を付加した複数のパケットに分割し、分割した前記パケットを複製して複数の前記伝送路に応じた複数の所定のフレームにそれぞれ組み込んでそれぞれ送信する第１の伝送装置と、前記第１の伝送装置から複数の前記所定のフレームをそれぞれ受信し、受信した前記フレームから前記パケットをそれぞれ取り出し、この取り出した前記パケットに付加された前記順番を示す番号が初見の番号の前記パケットを、前記順番を示す番号に基づいて組み立てて前記データを復元する第２の伝送装置と、を備えている。
【００１２】
本発明の伝送装置は、送信するデータを、順番を示す番号を付加した複数のパケットに分割し、分割したそれぞれの前記パケットをそれぞれ複製して複数の伝送路に応じた複数の所定のフレームにそれぞれ組み込み前記所定のフレームとして送信される前記データを、異なる種類の伝送路を含んだ複数の前記伝送路を介して受信する伝送装置であって、自身の受信部が接続された前記伝送路を介してこの伝送路に応じた前記所定のフレームを受信し、受信した前記フレームから前記パケットを取り出して出力する複数の受信部と、複数の前記受信部がそれぞれ取り出した前記パケットをそれぞれ受け、この受けたパケットに付加された前記順番を示す番号が初見の番号のときにはこのパケットを格納し、初見の番号でないときには前記パケットを廃棄するパケット選択部と、前記パケット選択部が格納した前記パケットを、前記順番を示す番号に基づいて組み立てて前記データを復元するデータ復元部と、を備えている。
【００１３】
本発明の伝送方法は、第１の伝送装置から複数の伝送路を介して第２の伝送装置へデータを伝送する伝送方法であって、前記第１の伝送装置により、送信するデータを、順番を示す番号を付加した複数のパケットに分割し、分割した前記パケットを複製し、複製した前記パケットを異なる種類の伝送路を含んだ複数の前記伝送路に応じた複数の所定のフレームにそれぞれ組み込んでそれぞれ送信し、前記第２の伝送装置により、前記第１の伝送装置から複数の前記所定のフレームをそれぞれ受信し、受信した前記フレームから前記パケットをそれぞれ取り出し、この取り出した前記パケットに付加された前記順番を示す番号が初見の番号の前記パケットを、前記順番を示す番号に基づいて組み立てて前記データを復元するようにしている。
【発明の効果】
【００１４】
本発明によれば、伝送路に障害が検出された場合にも他の伝送路に切り替えることなく、同期を取るための回路を必要とせずにどのようなデータでも伝送することができる伝送システム、伝送装置及び伝送方法を提供することができる。
【図面の簡単な説明】
【００１５】
【図１】本発明の第１の実施の形態に係る伝送システムの一例を示す図である。
【図２】本発明の第２の実施の形態に係る伝送システムの一例を示す図である。
【図３】本発明の第２の実施の形態の伝送システムの動作の一例を示すフローチャートである。
【図４】送信するデータを複数のパケットに分解し、このパケットをフレームに組み込んで送信する第１の伝送装置が行う動作を説明する図である。
【発明を実施するための形態】
【００１６】
次に、本発明の実施の形態について図面を参照して説明する。
（第１の実施の形態）
図１は、本発明の第１の実施の形態に係る伝送システムの一例を示す図である。
【００１７】
本実施の形態に係る伝送システムは、第１の伝送装置１と、第２の伝送装置２とにより構成される。
【００１８】
図１には、第１の伝送装置１と第２の伝送装置２とを接続する異なる種類を含んだ複数の伝送路３も記載してある。この伝送路３は、例えば、ＰＤＨ（Ｐｌｅｓｉｏｃｈｒｏｎｏｕｓ  Ｄｉｇｉｔａｌ  Ｈｉｅｒａｒｃｈｙ）電気伝送網、ＳＤＨ（Ｓｙｎｃｈｒｏｎｏｕｓ  Ｄｉｇｉｔａｌ  Ｈｉｅｒａｒｃｈｙ）光伝送網、ＩＰ（Ｉｎｔｅｒｎｅｔ  Ｐｒｏｔｏｃｏｌ）網等である。ＰＤＨ電気伝送網は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）のＧ．７０３で規定されたフレームによりデータを伝送する。ＳＤＨ光伝送網は、ＩＴＵ−ＴのＧ．７０７で規定されたフレームによりデータを伝送する。ＩＰ網は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．３で規定されたフレームによりデータを伝送する。図１では、三本の伝送路３を記載しているが三本にこだわることなく二本以上、何本であっても良い。
【００１９】
第１の伝送装置１は、送信するデータを入力しこのデータを、順番を示す番号を付加した複数のパケットに分割し、分割したパケットを複製して複数の伝送路３に応じた複数の所定のフレームにそれぞれ組み込んでそれぞれ送信する。ここで、パケットは、例えば８バイトのデータである。あるいは、１ｍｓ（ミリセカンド）単位に入力した分量のバイト数を有するデータである。このバイト数は、システムにより適宜変更して良い。順番を示す番号とは、パケットの順番を確認するための例えばシーケンス番号である。所定のフレームとは、例えば、ＰＤＨ電気伝送網、ＳＤＨ光伝送網、ＩＰ網等でデータを伝送するときに使用する各フレームである。
【００２０】
第２の伝送装置２は、第１の伝送装置１から複数の所定のフレームをそれぞれ受信し、受信したフレームからパケットをそれぞれ取り出す。そして、この取り出したパケットに付加されたシーケンス番号が初見の番号のパケットを、シーケンス番号に基づいてシーケンス番号順に組み立てて第１の伝送装置１が分割して送信したデータを復元する。
【００２１】
次に、本実施の形態に係る伝送システムの動作を説明する。第１の伝送装置１は、送信するデータを、シーケンス番号を付加した複数のパケットに分割する。分割された最後のパケットには、最後を示す印を付けておく。例えば、パケット内に設けられた最後のパケットを示すＥＮＤビットを立てておく。そして、この分割されたパケットと同一のパケットを複数の伝送路数分複製する。したがって、分割された複数のパケットの各パケット毎に複数のパケットが複製される。そして、複数の伝送路３に応じた複数の所定のフレームに、複数の伝送路数分複製された同一のパケットをそれぞれ組み込み複数の所定のフレームをそれぞれ送信する。そして、この所定のフレームの送信を、分割したパケット数分シーケンス番号順にそれぞれ送信する。
【００２２】
第２の伝送装置２は、第１の伝送装置１から複数の所定のフレームをそれぞれ受信し、受信したフレームからパケットをそれぞれ取り出す。そして、この取り出したパケットに付加されたシーケンス番号が初見の番号か否かを調べ、初見の番号でないときにはこのパケットを廃棄する。初見の番号のときにはこのパケットを格納しておく。第１の伝送装置１で分割された全てのパケットが受信されたときに、すなわち、格納したパケットに最後のパケットを示すＥＮＤビットが立っている場合、格納したパケットをシーケンス番号順に組み立てて、第１の伝送装置１が分割して送信したデータを復元する。
【００２３】
このように、本発明の第１の実施の形態によれば、第１の伝送装置１により、送信するデータをシーケンス番号を付加した複数のパケットに分割し、分割したパケットを複製して複数の伝送路３に応じた複数の所定のフレームにそれぞれ組み込んでそれぞれ送信する。そして、第２の伝送装置２により、第１の伝送装置１から複数の所定のフレームをそれぞれ受信し、受信したフレームからパケットをそれぞれ取り出す。そして、この取り出したパケットに付加されたシーケンス番号が初見の番号のパケットを、シーケンス番号に基づいて組み立てて第１の伝送装置１が分割して送信したデータを復元する。このため、本発明の第１の実施の形態によれば、送信するデータをＩＰパケットのデータに特化していないので、ＩＰパケットしか転送できないということがない。また、送信されたデータを復元する際に、同期を取るための回路を必要としない。
【００２４】
したがって、本発明の第１の実施の形態によれば、伝送路に障害が検出された場合にも他の伝送路に切り替えることなく、同期を取るための回路を必要とせずにどのようなデータでも伝送することができる。
【００２５】
ここで、本発明の第１の実施の形態では、第１の伝送装置１は、送信するデータを、シーケンス番号を付加した複数のパケットに分割したが、送信するデータを、シーケンス番号と誤り検出符号を付加した複数のパケットに分割しても良い。このときには、第２の伝送装置２は、第１の伝送装置１から受信したフレームからパケットをそれぞれ取り出し、この取り出したパケットに付加された誤り検出符号に基づきパケットの誤り検出をそれぞれ行い、誤り検出で誤りが検出されたパケットを廃棄する。ここで、誤り検出符号とは、例えば、チェックサム、巡回冗長検査（ＣＲＣ：Ｃｙｃｌｉｃ  Ｒｅｄｕｎｄａｎｃｙ  Ｃｈｅｃｋ））符号であり、誤り検出とは、これらの符号に基づいて行なう、サムチェック検査、巡回冗長検査である。
（第２の実施の形態）
図２は、本発明の第２の実施の形態に係る伝送システムの一例を示す図である。
【００２６】
本第２の実施の形態は、第１の実施の形態の第１の伝送装置１及び第２の伝送装置２の動作をより具体化したものである。したがって、主に第１の実施の形態と相違する部分について説明する。
【００２７】
本実施の形態に係る伝送システムは、第１の伝送装置１と、第２の伝送装置２とにより構成される。図２では、三本の伝送路３を記載しているが図１と同様、三本にこだわることなく２本以上、何本であっても良い。
【００２８】
第１の伝送装置１は、パケット生成部４と、複数のフレーム変換伝送部５とにより構成される。パケット生成部４は、送信するデータを複数のパケットに分割し、パケットに順番を示す番号（シーケンス番号）と誤り検出符号を付加したパケットを伝送路数分複製して出力する。複数のフレーム変換伝送部５は、パケット生成部４が出力した複製されたパケットを、自身のフレーム変換伝送部５が送信する伝送路３に応じた所定のフレームに組み込んで送信する。
【００２９】
第２の伝送装置２は、複数の受信部６と、複数のパケットチェック部７と、パケット選択部８と、データ復元部９とにより構成される。
【００３０】
複数の受信部６の各受信部６は、自身の受信部６が接続された伝送路３を介してこの伝送路３に応じた所定のフレームを受信し、受信したフレームからパケットを取り出す。
【００３１】
複数のパケットチェック部７の各パケットチェック部７は、受信部６が取り出したパケットに付加された誤り検出符号に基づきパケットの誤り検出を行い、誤り検出で誤りが検出されたパケットを廃棄し誤りが検出されなかったパケットを出力する。
【００３２】
パケット選択部８は、複数のパケットチェック部７がそれぞれ出力したパケットをそれぞれ受け、この受けたパケットに付加されたシーケンス番号が初見の番号のときにはこのパケットを格納し、初見の番号でないときにはこのパケットを廃棄する。そして、パケット選択部８は、第１の伝送装置１で分割された全てのパケットが受信されたか否かを調べる。すなわち、パケットを格納したときにこのパケットに最後のパケットを示すＥＮＤビットが立っているか否かを調べる。そして、格納したパケットにＥＮＤビットが立っている場合、第１の伝送装置１で分割された全てのパケットが受信されたと判断し、データ受信信号を出力する。
【００３３】
データ復元部９は、パケット選択部８からデータ受信信号を受け、パケット選択部８に格納されたパケットをシーケンス番号順に組み立てて、第１の伝送装置１が分割して送信したデータを復元する。
【００３４】
次に、本発明の第２の実施の形態に係る伝送システムの動作を図３及び図４を参照して詳細に説明する。
【００３５】
図３は、本発明の第２の実施の形態の伝送システムの動作の一例を示すフローチャートである。
【００３６】
図４は、送信するデータを複数のパケットに分解し、このパケットをフレームに組み込んで送信する第１の伝送装置が行う動作を説明する図である。（ａ）は送信するデータを示す。（ｂ）は、（ａ）の送信するデータを分解した複数のパケットを示す。各パケットに記載した番号はシーケンス番号を示す。ここでは、データをｎ個のパケットに分解した場合を示している。（ｃ）は、（ｂ）で分解した複数のパケットを複製した複製パケットを示す。（ｄ）は、（ｃ）の複製パケットを組み込んだ伝送路３に応じたフレームを示す。各フレームに記載した番号はシーケンス番号を示し、このシーケンス番号のパケットのフレーム内の位置がフレームによって異なることを示している。（ｅ）は、（ｄ）のフレームをシーケンス番号順に送信する状態を示す。
【００３７】
図３のステップＳ１では、第１の伝送装置１のパケット生成部４が、送信するデータを入力し、このデータを複数のパケット（図４の（ｂ））に分割する。分割したパケットに順番を示す番号（シーケンス番号）と不図示の誤り検出符号を付加する。分割された最後のパケットには、最後を示す印を付けておく。例えば、パケット内に設けられた、最後のパケットを示すＥＮＤビット（不図示）を立てておく。そして、この分割されたパケットと同一のパケットを複数の伝送路分複製（図４の（ｃ））して出力する。したがって、分割された複数のパケットの各パケット毎に同一の複数のパケットが複製される。
【００３８】
図３のステップＳ２では、複数のフレーム変換伝送部５の各フレーム変換伝送部５は、パケット生成部４が出力した複製されたパケット（図４の（ｃ））を、自身のフレーム変換伝送部５が送信する伝送路３に応じた所定のフレームに組み込む（図４の（ｄ））。そして、図４の（ｅ）に示すように、パケットが組み込まれた所定のフレームを、分割したパケット数分シーケンス番号順に自身のフレーム変換伝送部５に対応した伝送路３にそれぞれ送信する。
【００３９】
図３のステップＳ３では、第２の伝送装置２の複数の受信部６の各受信部６が、自身の受信部６が接続された伝送路３を介して第１の伝送装置１が送信してきた、この伝送路３に応じた所定のフレームを受信し、この受信したフレームからパケットを取り出す。
【００４０】
図３のステップＳ４では、複数のパケットチェック部７の各パケットチェック部７が、受信部６が取り出したパケットに付加された誤り検出符号に基づきパケットの誤り検出をそれぞれ行う。
【００４１】
図３のステップＳ５では、各パケットチェック部７は、ステップＳ４で行った誤り検出で、誤りを検出したか否かを調べる。誤りを検出しなかった場合にはステップＳ７へ進む。誤りを検出した場合にはステップＳ６へ進む。
【００４２】
図３のステップＳ６では、誤りを検出したパケットチェック部７は、誤りを検出したパケットを廃棄し、ステップＳ８へ進む。
【００４３】
図３のステップＳ７では、誤りを検出しなかったパケットチェック部７は、誤りを検出しなかったパケットを出力し、ステップＳ８へ進む。
【００４４】
図３のステップＳ８では、パケット選択部８が、複数のパケットチェック部７がステップＳ７で出力したパケットを受ける。
【００４５】
ここで、図２では、複数の受信部６とパケット選択部８との間に複数のパケットチェック部７を設け、パケットチェック部７でパケットの誤り検出を行い誤りが検出されなかったパケットのみパケット選択部８に出力した。そして、パケット選択部８は、複数のパケットチェック部７がそれぞれ出力したパケットをそれぞれ受けるようにした。しかし、複数の受信部６とパケット選択部８との間に複数のパケットチェック部７を設けず、複数の受信部６から直接パケット選択部８にパケットを出力し、パケット選択部８は、複数の受信部６がそれぞれ出力したパケットをそれぞれ受けるようにしても良い。
【００４６】
パケット選択部８は、この受けたパケットに付加されたシーケンス番号が初見の番号か否かを調べ、調べた結果が初見の番号でないことを示す場合（ＮＯの場合）にはステップＳ９へ進む。調べた結果が初見の番号であることを示す場合（ＹＥＳの場合）にはステップＳ１０へ進む。
【００４７】
図３のステップＳ９では、パケット選択部８は、初見のシーケンス番号でないパケットを廃棄し、ステップＳ８へ戻る。
【００４８】
図３のステップＳ１０では、パケット選択部８は、初見のシーケンス番号のパケットを格納する。
【００４９】
図３のステップＳ１１では、パケット選択部８は、ステップＳ１０で格納したパケットに、最後のパケットを示すＥＮＤビットが立っているか否か調べる。格納したパケットにＥＮＤビットが立っている場合、すなわち最後のパケットの場合（ＹＥＳの場合）、ステップＳ１２へ進む。ステップＳ１０で格納したパケットにＥＮＤビットが立っていない場合、すなわち最後のパケットでない場合（ＮＯＳの場合）、ステップＳ８へ戻る。
【００５０】
図３のステップＳ１２では、パケット選択部８は、ＥＮＤビットが立っている場合、ステップＳ１で分割された全てのパケットが受信されたと判断しデータ受信信号を出力する。
【００５１】
図３のステップＳ１３では、データ復元部９は、パケット選択部８からデータ受信信号を受け、パケット選択部８に格納されたパケットをシーケンス番号順に組み立てて、第１の伝送装置１がステップＳ１で分割して送信されたデータを復元する。
【００５２】
このように、本発明の第２の実施の形態によれば、第１の伝送装置１により、送信するデータをシーケンス番号を付加した複数のパケットに分割し、分割したパケットを複製して複数の伝送路３に応じた複数の所定のフレームにそれぞれ組み込んでそれぞれ送信する。そして、第２の伝送装置２により、第１の伝送装置１から複数の所定のフレームをそれぞれ受信し、受信したフレームからパケットをそれぞれ取り出す。そして、この取り出したパケットに付加されたシーケンス番号が初見の番号のパケットを、シーケンス番号に基づいて組み立てて第１の伝送装置１が分割して送信したデータを復元する。このため、本発明の第２の実施の形態によれば、送信するデータをＩＰパケットのデータに特化していないので、ＩＰパケットしか転送できないということがない。また、送信されたデータを復元する際に、同期を取るための回路を必要としない。
【００５３】
したがって、本発明の第２の実施の形態によれば、伝送路に障害が検出された場合にも他の伝送路に切り替えることなく、同期を取るための回路を必要とせずにどのようなデータでも伝送することができる。
【００５４】
上記の実施形態の一部または全部は、以下の付記のように記載され得るが、以下には限られない。
（付記１）
送信するデータを、順番を示す番号を付加した複数のパケットに分割し、分割した前記パケットを複製して異なる種類の伝送路を含んだ複数の伝送路にそれぞれ対応した複数の所定のフレームにそれぞれ組み込んでそれぞれ送信する第１の伝送装置と、
前記複数の伝送路を介して接続された前記第１の伝送装置から複数の前記所定のフレームをそれぞれ受信し、受信した前記フレームから前記パケットをそれぞれ取り出し、この取り出した前記パケットに付加された前記順番を示す番号が初見の番号の前記パケットを、前記順番を示す番号に基づいて組み立てて前記データを復元する第２の伝送装置と、
を備えたことを特徴とする伝送システム。
（付記２）
前記第１の伝送装置は、前記パケットに誤り検出符号を付加し、
前記第２の伝送装置は、前記第１の伝送装置から受信した前記フレームから前記パケットをそれぞれ取り出し、この取り出した前記パケットに付加された前記誤り検出符号に基づき前記パケットの誤り検出をそれぞれ行い、前記誤り検出で誤りが検出された前記パケットを廃棄する、
ことを特徴とする付記１記載の伝送システム。
（付記３）
前記第１の伝送装置は、
送信するデータを複数のパケットに分割し、前記パケットに順番を示す番号を付加しこの番号を付加したパケットを前記伝送路数分複製して出力するパケット生成部と、
前記パケット生成部が出力した複製された前記パケットを、自身のフレーム変換伝送部が送信する前記伝送路に応じた所定のフレームに組み込んで送信する複数のフレーム変換伝送部と、
を備えたことを特徴とする付記１記載の伝送システム。
（付記４）
前記第１の伝送装置は、
送信するデータを複数のパケットに分割し、前記パケットに順番を示す番号と誤り検出符号を付加したパケットを前記伝送路数分複製して出力するパケット生成部と、
前記パケット生成部が出力した複製された前記パケットを、自身のフレーム変換伝送部が送信する前記伝送路に応じた所定のフレームに組み込んで送信する複数のフレーム変換伝送部と、
を備えたことを特徴とする付記２記載の伝送システム。
（付記５）
前記順番を示す番号は、前記パケットの順番を確認するためのシーケンス番号である、ことを特徴とする付記１、２、３、又は４記載の伝送システム。
（付記６）伝送システム
前記誤り検出符号は、チェックサム、巡回冗長検査（ＣＲＣ：Ｃｙｃｌｉｃ  Ｒｅｄｕｎｄａｎｃｙ  Ｃｈｅｃｋ））符号を含む、ことを特徴とする付記２又は４  記載の伝送システム。
（付記７）
順番を示す番号を含む複数のパケットのいずれかを含む複数のフレームを、互いに異なる種類の伝送路を含んだ複数の前記伝送路を介して受信する伝送装置であって、
自身の受信部が接続された前記伝送路を介してこの伝送路に応じた所定のフレームを受信し、受信した前記フレームから前記パケットを取り出して出力する複数の受信部と、
複数の前記受信部がそれぞれ取り出した前記パケットをそれぞれ受け、この受けたパケットに付加された前記順番を示す番号が初見の番号のときにはこのパケットを格納し、初見の番号でないときには前記パケットを廃棄するパケット選択部と、
前記パケット選択部が格納した前記パケットを、前記順番を示す番号に基づいて組み立てて前記データを復元するデータ復元部と、
を備えたことを特徴とする伝送装置。
（付記８）
順番を示す番号と誤り検出符号とを含む複数のパケットのいずれかを含む複数のフレームを、互いに異なる種類の伝送路を含んだ複数の前記伝送路を介して受信する伝送装置であって、
自身の受信部が接続された前記伝送路を介してこの伝送路に応じた所定のフレームを受信し、受信した前記フレームから前記パケットを取り出す複数の受信部と、
自身のパケットチェック部に接続された前記受信部が取り出した前記パケットに付加された前記誤り検出符号に基づき前記パケットの誤り検出を行い、前記誤り検出で誤りが検出されなかった前記パケットを出力し、前記誤り検出で誤りが検出された前記パケットを廃棄する複数のパケットチェック部と、
複数の前記パケットチェック部がそれぞれ出力した前記パケットをそれぞれ受け、この受けたパケットに付加された前記順番を示す番号が初見の番号のときにはこのパケットを格納し、初見の番号でないときには前記パケットを廃棄するパケット選択部と、
前記パケット選択部が格納した前記パケットを、前記順番を示す番号に基づいて組み立てて前記データを復元するデータ復元部と、
を備えたことを特徴とする伝送装置。
（付記９）
第１の伝送装置から複数の伝送路を介して第２の伝送装置へデータを伝送する伝送方法であって、
前記第１の伝送装置により、送信するデータを、順番を示す番号を付加した複数のパケットに分割し、分割した前記パケットを複製し、複製した前記パケットを異なる種類の伝送路を含んだ複数の前記伝送路に応じた複数の所定のフレームにそれぞれ組み込んでそれぞれ送信し、
前記第２の伝送装置により、前記第１の伝送装置から複数の前記所定のフレームをそれぞれ受信し、受信した前記フレームから前記パケットをそれぞれ取り出し、この取り出した前記パケットに付加された前記順番を示す番号が初見の番号の前記パケットを、前記順番を示す番号に基づいて組み立てて前記データを復元する、
ことを特徴とする伝送方法。
（付記１０）
前記第１の伝送装置は、送信する前記データを、前記順番を示す番号と誤り検出符号とを付加した複数のパケットに分割し、
前記第２の伝送装置は、前記第１の伝送装置から受信した前記フレームから前記パケットをそれぞれ取り出し、この取り出した前記パケットに付加された前記誤り検出符号に基づき前記パケットの誤り検出をそれぞれ行い、前記誤り検出で誤りが検出された前記パケットを廃棄する、
ことを特徴とする付記９記載の伝送方法。
（付記１１）
前記順番を示す番号は、前記パケットの順番を確認するためのシーケンス番号である、ことを特徴とする付記９又は１０記載の伝送方法。
（付記１２）
前記誤り検出符号は、チェックサム、巡回冗長検査（ＣＲＣ：Ｃｙｃｌｉｃ  Ｒｅｄｕｎｄａｎｃｙ  Ｃｈｅｃｋ））符号を含む、ことを特徴とする付記１０記載の伝送方法。
【符号の説明】
【００５５】
１  第１の伝送装置
２  第２の伝送装置
３  伝送路
４  パケット生成部
５  フレーム変換伝送部
６  受信部
７  パケットチェック部
８  パケット選択部
９  データ復元部
【図１】
2014039111.tif 000003
【図２】
2014039111.tif 000004
【図３】
2014039111.tif 000005
【図４】
2014039111.tif 000006